(57)【要約】【課題】  非常に単純かつ安価な構成で、良好なタッチ感と連打性の両立を図ることができるアップライトピアノのアクションを提供する。【解決手段】  本発明のアップライトピアノのアクション１は、押鍵時に、鍵４によって突き上げられる回動自在のウィッペン６と、ウィッペン６に取り付けられ、ウィッペン６の回動に伴ってハンマー３を突き上げ、回動させ、回動の途中で、レギュレティングボタン１７に当接することで回動し、ハンマー３から離脱するジャック７と、ウィッペン６とジャック７の間に設けられ、ジャック７をハンマー３側に付勢するジャックスプリング１１と、を備え、ウィッペン６およびジャック７の一方に形成された上下方向に貫通するねじ孔６ｃにねじ込まれ、ウィッペン６およびジャック７の一方からのジャックスプリング１１の突出長さを調整する調整ねじ１０をさらに備える。【選択図】  図２
2008102209.tif 000002
【特許請求の範囲】
【請求項１】
鍵の押鍵に伴って作動し、ハンマーを回動させることにより打弦を行わせるアップライトピアノのアクションであって、
押鍵時に、前記鍵によって突き上げられ、上方に回動するウィッペンと、
当該ウィッペンの上方の所定位置に設けられたレギュレティングボタンと、
前記ウィッペンに回動自在に取り付けられ、前記ハンマーに係合し、前記ウィッペンの回動に伴って前記ハンマーを突き上げ、回動させるとともに、当該回動の途中で、前記レギュレティングボタンに当接することによって、前記ウィッペンに対して回動し、前記ハンマーから離脱するジャックと、
前記ウィッペンと前記ジャックの間に設けられ、当該ジャックを、前記離脱後に前記ハンマーに再係合させるために、当該ハンマー側に付勢するジャックスプリングと、を備え、
前記ウィッペンおよび前記ジャックの一方には、上下方向に貫通するねじ孔が形成されており、
当該ねじ孔に進退自在にねじ込まれ、前記ジャックスプリングに連結されるとともに、回転操作により、前記ウィッペンおよび前記ジャックの前記一方からの前記ジャックスプリングの突出長さを調整する調整ねじをさらに備えることを特徴とするアップライトピアノのアクション。
【請求項２】
前記調整ねじが前記ウィッペンに取り付けられていることを特徴とする、請求項１に記載のアップライトピアノのアクション。
【発明の詳細な説明】
【技術分野】
【０００１】
本発明は、鍵の押鍵に伴って作動し、ハンマーを回動させ、打弦を行わせるアップライトピアノのアクションに関する。
【背景技術】
【０００２】
アップライトピアノのアクションは一般に、回動自在のウィッペンと、ウィッペンに回動自在に取り付けられたジャックと、ウィッペンとジャックの間に設けられたジャックスプリングと、ジャックの上方に配置されたレギュレティングボタン、ウィッペンに設けられたバックチェックなどを備えている。
【０００３】
このようなアクションでは、鍵の押鍵に伴い、ウィッペンは、鍵の後端部で突き上げられ、ジャックと一緒に上方に回動し、ハンマーは、回動したジャックによって突き上げられ、回動する。この回動の途中で、ジャックは、レギュレティングボタンに当接し、ジャックスプリングのばね力に抗してウィッペンに対して回動し、ハンマーから外れる。その後、ハンマーは、慣性で回動し、弦を打弦した後、反対方向に回動し、バックチェックに係止される。押鍵が終了し、鍵がある程度、戻されると、ジャックは、ウィッペンと一緒に押鍵時と反対方向に回動し、レギュレティングボタンから離れるとともに、ジャックスプリングのばね力によって、ウィッペンに対して復帰回動し、ハンマーの下側に入り込み、係合する。これにより、ハンマーの再突上げすなわち連打が可能になる
【０００４】
以上のように、アップライトピアノにおいて、ジャックスプリングは、押鍵後に、ジャックを復帰回動させることによって、連打性を確保する機能を有する。このため、連打性を向上させるという観点からは、ジャックスプリングのばね力を強くすることが好ましい。しかし、ジャックスプリングのばね力は、押鍵の際の反力として、演奏者の指先に伝わるため、ばね力が強すぎると、鍵の静的荷重が大きくなるとともに、ばねを変形させるような「ばねっぽい」タッチ感になり、タッチ感を損ねてしまう。
【０００５】
このため、ジャックスプリングのばね力を増大させることなく、連打性の向上を図るようにした従来のアップライトのアクションとして、例えば特許文献１に開示されたものが知られている。このアクションは、上述した通常の部品に加えて、レペティション機構を備えている。このレペティション機構は、ハンマーのキャッチャーシャンクに取り付けたフレンジと、フレンジに回動自在に支持されたレペティションレバーと、レペティションレバーを付勢するレバースプリングなどを有している。このアクションでは、押鍵後、鍵がある程度、戻されたときに、ウィッペンおよびジャックが押鍵時と反対方向に回動するのに伴い、レペティションレバーを介して作用するレバースプリングのばね力によって、ハンマーが弦側に回動する。これにより、ハンマーの下側へのジャックの入り込みが容易になり、連打性の向上を図ることができる。
【０００６】
しかし、この従来のアクションは、ウィッペンなどの通常の部品に加え、フレンジ、レペティションレバーやスプリングなどを有するレペティション機構を設けなければならず、その構成が非常に複雑であるとともに、そのようなレペティション機構が鍵ごとに必要であるため、製造コストが非常に高いという欠点がある。また、離鍵時に、スプリングのばね力をレペティションレバーを介してハンマーに作用させ、ハンマーを弦側に回動させるので、この回動によってハンマーが再度、打弦を行わないよう、スプリングのばね力やレペティションレバーとハンマーとの位置関係などをきめ細かく調整する必要があり、その調整作業に非常に労力を要するため、製造コストがさらに上昇する。さらに、レペティション機構がハンマーと一体に設けられているため、その分、鍵の静的荷重が増大するとともに、タッチ感やハンマーの動作に悪影響を及ぼしてしまう。
【０００７】
本発明は、以上のような課題を解決するためになされたものであり、非常に単純かつ安価な構成で、良好なタッチ感と連打性の両立を図ることができるアップライトピアノのアクションを提供することを目的とする。
【０００８】
【特許文献１】特開平６−８３３２６号公報
【発明の開示】
【課題を解決するための手段】
【０００９】
上記の目的を達成するため、請求項１に係る発明は、鍵の押鍵に伴って作動し、ハンマーを回動させることにより打弦を行わせるアップライトピアノのアクションであって、押鍵時に、鍵によって突き上げられ、上方に回動するウィッペンと、ウィッペンの上方の所定位置に設けられたレギュレティングボタンと、ウィッペンに回動自在に取り付けられ、ハンマーに係合し、ウィッペンの回動に伴ってハンマーを突き上げ、回動させるとともに、当該回動の途中で、レギュレティングボタンに当接することによって、ウィッペンに対して回動し、ハンマーから離脱するジャックと、ウィッペンとジャックの間に設けられ、ジャックを、離脱後にハンマーに係合させるために、ハンマー側に付勢するジャックスプリングと、を備え、ウィッペンおよびジャックの一方には、上下方向に貫通するねじ孔が形成されており、ねじ孔に進退自在にねじ込まれ、ジャックスプリングに連結されるとともに、回転操作により、ウィッペンおよびジャックの前記一方からのジャックスプリングの突出長さを調整する調整ねじをさらに備えることを特徴とする。
【００１０】
このアップライトピアノのアクションによれば、離鍵状態では、ジャックがハンマーに係合しており、この離鍵状態から鍵が押鍵されると、ウィッペンが鍵によって突き上げられ、ウィッペンと一緒にジャックが上方に回動する。ハンマーは、ジャックにより突き上げられ、回動する。また、この回動の途中で、ジャックが、レギュレティングボタンに当接することによって、ハンマーから離脱する。その後、ハンマーは、慣性で回動し、打弦を行う。さらに、ハンマーから離脱したジャックは、ウィッペンとジャックの間に設けられたジャックスプリングの付勢によって、ウィッペンに対して復帰回動し、ハンマーに係合することで、ハンマーの再突上げが可能な状態になる。
【００１１】
また、本発明では、ジャックスプリングに調整ねじが連結されており、この調整ねじは、ウィッペンおよびジャックの一方に形成された上下方向に貫通するねじ孔に、ねじ込まれている。したがって、調整ねじを回し、ねじ孔を形成したウィッペンまたはジャックからのジャックスプリングの突出長さを調整することによって、ジャックスプリングのばね力を無段階に調整することができる。
【００１２】
例えば、ジャックスプリングの突出長さを大きくすると、レギュレティングボタンに当接した状態でのジャックスプリングの圧縮量がより大きくなることによって、そのばね力が増大するので、ジャックがハンマー側により速く戻るようになり、連打性を向上させることができる。逆に、ジャックスプリングの突出長さを小さくすると、レギュレティングボタンに当接した状態でのジャックスプリングの圧縮量が小さくなることによって、そのばね力が減少するので、「ばねっぽい」感覚を抑制でき、タッチ感を向上させることができる。以上のように、調整ねじでジャックスプリングの突出長さを調整することによって、ジャックスプリングのばね力を無段階にきめ細かく調整でき、したがって、良好なタッチ感と連打性を両立させることができる。
【００１３】
また、本発明のアクションは、基本的に、通常のアクションに調整ねじを付加するだけで構成されるので、複雑なレペティション機構を必要とする従来のアクションと比較して、非常に単純かつ安価に構成することができる。また、ウィッペンまたはジャックにねじ孔を形成し、調整ねじを取り付けるので、調整ねじの取付によるウィッペンまたはジャックの重量の変化量は小さく、それによる鍵の静的荷重やアクションの動作への影響はほとんどない。
【００１４】
請求項２に係る発明は、請求項１に記載のアップライトピアノのアクションにおいて、調整ねじがウィッペンに取り付けられていることを特徴とする。
【００１５】
この構成によれば、ウィッペン側に、ねじ孔および調整ねじが設けられていて、ジャック側には、加工や部品の付加などの変更がまったく加えられないので、ジャックの所望の動作を、その調整を必要とすることなく、容易に得ることができる。また、ウィッペンから上方に突出した調整ねじで、ジャックスプリングを下側から安定して支持することができる。さらに、アップライトピアノでは一般に、ウィッペンの下側に比較的大きなスペースが存在するので、このスペースを利用して、調整ねじをウィッペンの下側から操作することによって、調整作業を容易に行うことができる。
【発明を実施するための最良の形態】
【００１６】
以下、図面を参照しながら、本発明の好ましい実施形態について説明する。図１は、本発明を適用したアップライトピアノのアクション１、鍵盤２およびハンマー３などを、離鍵状態において示している。なお、図１では、図示の便宜上、断面を示すハッチングは省略されている。鍵盤２は、左右方向（図１の奥行方向）に並んだ多数の鍵４（１つの白鍵のみ図示）によって構成されており、各鍵４は、前後方向（図１の左右方向）の中央において、筬５にバランスピン５ａを介して揺動自在に支持されている。
【００１７】
アクション１は、鍵盤２の後端部の上方において、筬５の左右の端部にそれぞれ設けられた左右のブラケット（図示せず）に取り付けられ、両ブラケットの間に設けられている。アクション１は、ウィッペン６やジャック７を有しており、これらは、鍵４ごとに設けられている（ともに１つのみ図示）。また、左右のブラケットの間には、センターレール１５およびハンマーレール１６などが渡されている。
【００１８】
ウィッペン６は、例えば合成樹脂によって所定の形状に形成されており、その前部から下方に突出するヒール部６ａを有していて、対応する鍵４の上面後端部に設けられたキャプスタンボタン４ａに、ヒール部６ａを介して載置されている。また、ウィッペン６の前端部には、バックチェックワイヤ８ａが立設されており、その先端部にバックチェック８が取り付けられている。さらに、ウィッペン６の後端部には、後述するダンパー２１を駆動するためのスプーン９が立設されている。また、ウィッペン６は、スプーン９のすぐ前側の部分において、センターレール１５に固定されたウィッペンフレンジ６ｂに回動自在に支持されている。
【００１９】
図２に示すように、ウィッペン６のヒール部６ａとバックチェックワイヤ８ａとの間には、上下方向に貫通するねじ孔６ｃが形成されており、このねじ孔６ｃに調整ねじ１０が下方からねじ込まれている。調整ねじ１０は、頭部をもたず、先端部を除いて一定の径を有しており、基部の端面にはドライバー操作用の溝１０ａが形成されている。
【００２０】
また、調整ねじ１０には、ジャックスプリング１１が取り付けられている。ジャックスプリング１１は、押鍵後にジャック７を復帰回動させるためのものであり、コイルばねで構成されている。ジャックスプリング１１は、その下端部が調整ねじ１０の先端部に嵌められ、接着されるとともに、ウィッペン６のねじ孔６ｃから上方に突出していて、上端部がジャック７の基部７ａの下面に当接している。
【００２１】
ジャック７は、例えば合成樹脂によってＬ字状に形成されており、図２に示すように、前後方向に短く延びる基部７ａと、基部７ａの後端部からほぼ直角に上方に長く延びるハンマー突上げ部７ｂを有している。ジャック７は、基部７ａとハンマー突上げ部７ｂとの角部において、ウィッペン６のバックチェックワイヤ８ａよりも後ろ側の部分に回動自在に取り付けられている。
【００２２】
ジャック７の基部７ａの上方の所定位置には、レギュレティングボタン１７が設けられている。このレギュレティングボタン１７は、センターレール１５に設けられた複数のレギュレティングブラケット１８（１つのみ図示）と、その前端部に取り付けられ、左右方向に延びるレギュレティングレール１９を介して、鍵４ごとに設けられている。
【００２３】
また、センターレール１５には、バットフレンジ２０ａを介してバット２０が回動自在に取り付けられており、ハンマー３は、このバット２０に一体に設けられている。ハンマー３は、バット２０から上方に延びるハンマーシャンク３ａと、その上端部から後方に延びるハンマーヘッド３ｂを一体に有している。離鍵状態では、ハンマーシャンク３ａは、微小な間隔を隔ててハンマーレール１６と対向し、ハンマーヘッド３ｂは、鉛直に張られた後方の弦Ｓに対向している。
【００２４】
また、バット２０には、キャッチャー２０ｂが前方に突出するように設けられており、キャッチャー２０ｂは、前述したバックチェック８の後方に位置し、これと対向している。さらに、バット２０には、ハンマー３を図１の時計回りに付勢するバットスプリング２０ｃが設けられている。また、離鍵状態では、ジャック７のハンマー突上げ部７ｂがバット２０に下方から係合している。
【００２５】
さらに、アクション１の後方には、ダンパー２１が鍵４ごとに設けられている（１つのみ図示）。ダンパー２１は、ダンパーフレンジ２１ａを介してセンターレール１５に回動自在に取り付けられたダンパーレバー２１ｂと、ダンパーレバー２１ｂの上側にダンパーワイヤ２１ｃを介して取り付けられたダンパーヘッド２１ｄと、ダンパーヘッド２１ｄを弦Ｓ側に付勢するダンパーレバースプリング２１ｅなどで構成されている。このダンパー２１は、離鍵時に、ダンパーレバースプリング２１ｅの付勢力によって、ダンパヘッド２１ｄが弦Ｓに当接することにより止音するためのものである。
【００２６】
次に、上述したアクション１およびハンマー３などの押鍵の開始から終了までの一連の動作について説明する。演奏者によって押鍵が行われると、鍵４は、図１の時計回りに回動し、ウィッペン６は、鍵４によって突き上げられ、上方（反時計回り）に回動する。このウィッペン６の回動に伴い、ジャック７はウィッペン６と一緒に上方に移動し、ハンマー３は、バット２０を介してジャック７のハンマー突上げ部７ｂで突き上げられることにより、弦Ｓに向かって反時計回りに回動する。
【００２７】
そして、ウィッペン６が所定角度、回動したときに、ジャック７の基部７ａがレギュレティングボタン１７に当接することにより、ジャック７の上方への移動が規制される。ウィッペン６がさらに回動すると、ジャック７は、レギュレティングボタン１７に当接した状態で、ウィッペン６に対して時計回りに回動する。このジャック７の回動に伴い、ウィッペン６との間に配置されたジャックスプリング１１が圧縮される。
【００２８】
押鍵がさらに進むと、ジャック７は、ジャックスプリング１１を圧縮しながら、時計回りにさらに回動する。そして、鍵４が押し切られる直前で、ウィッペン６に対するジャック７の回動ストローク（以下「ジャックストローク」という）ＳＪが所定ストロークＳＪＬＯ（図３参照）に達したときに、ハンマー突上げ部７ｂがバット２０から前方に外れ、ジャック７がハンマー３から離脱する。これにより、鍵４のタッチ重さからハンマー３の重量分が急激に失われることにより、演奏者にレットオフ感が付与される。このジャック７の離脱後、ハンマー３は、慣性で回動し、弦Ｓを打弦することによって、演奏音が発生する。そして、ハンマー３は、バットスプリング２０ｃのばね力によって時計回りに復帰回動し、キャッチャー２０ｂがバックチェック８に係止されることで、一時的に停止する。
【００２９】
そして、押鍵が終了し、鍵４が離鍵されると、鍵４およびウィッペン６は、押鍵時と反対方向に回動する。これに伴い、ジャック７は、圧縮されたジャックスプリング１１のばね力によって、ウィッペン６に対して反時計回りに復帰回動し、ハンマー突上げ部７ｂがバット２０の下側に入り込む。また、ウィッペン６の復帰回動によりバックチェック８がキャッチャー２０ｂから離れることによって、バット２０がジャック７のハンマー突上げ部７ｂに係合し、ハンマー３が離鍵状態に復帰する。以上により、押鍵時から離鍵時までのアクション１の一連の動作が終了する。
【００３０】
また、このアクション１では、ウィッペン６に取り付けた調整ねじ１０によって、ジャックスプリング１１のばね力ＦＪＳを調整することができる。具体的には、図２に示すように、調整ねじ１０の溝１０ａにドライバーＤを下方から挿入し、例えば、調整ねじ１０を回して上方に移動させると、それと一体のジャックスプリング１１が上方に移動することによって、ウィッペン６の上面からのジャックスプリング１１の突出長さがより大きくなる。これに伴い、ジャックスプリング１１の圧縮量が全体としてより大きくなり、図３（ａ）に示すように、ジャックストロークＳＪに対するジャックスプリング１１のばね力ＦＪＳが全体的に増大するので、ジャック７を復帰回動させる際のばね力ＦＪＳも増大する。その結果、押鍵後にジャック７がハンマー３側により速く戻るようになり、より良好な連打性を得ることができる。
【００３１】
一方、上記とは逆に、調整ねじ１０を下方に移動させると、ジャックスプリング１１が下方に移動し、ウィッペン６の上面からの突出長さはより小さくなる。それに伴い、ジャックスプリング１１の圧縮量が全体としてより小さくなり、図３（ｃ）に示すように、ジャックストロークＳＪに対するジャックスプリング１１のばね力ＦＪＳが全体的に減少するので、「ばねっぽい」感覚を抑制でき、タッチ感を向上させることができる。
【００３２】
以上のように、調整ねじ１０でジャックスプリング１１の突出長さを調整することによって、ジャックスプリング１１のばね力ＦＪＳを無段階にきめ細かく調整でき、したがって、良好なタッチ感と連打性を両立させることができる。
【００３３】
また、本実施形態のアクション１は、基本的に、通常のアクションに調整ねじ１０を付加するだけで構成されるので、複雑なレペティション機構を必要とする従来のアクションと比較して、非常に単純かつ安価に構成することができる。また、ウィッペン６にねじ孔６ｃを形成し、調整ねじ１０を取り付けるので、調整ねじ１０の取付によるウィッペン６の重量の変化量は小さく、それによる鍵４の静的荷重やアクション１の動作への影響はほとんどない。
【００３４】
また、ジャック７側には、加工や部品の付加などの変更がまったく加えられないので、ジャック７の所望の動作を、その調整を必要とすることなく、容易に得ることができる。さらに、ウィッペン６から上方に突出した調整ねじ１０で、ジャックスプリング１１を下側から安定して支持することができる。また、アップライトピアノでは一般に、ウィッペン６の下側に比較的大きなスペースが存在するので、このスペースを利用して、調整ねじ１０をドライバーＤによってウィッペン６の下側から容易に操作でき、その調整作業を容易に行うことができる。
【００３５】
図４は、実施形態に対する変形例を示している。この変形例は、実施形態のアクション１に対し、調整ねじ１０およびジャックスプリング１１を取り付ける構成のみを変更したものである。
【００３６】
具体的には、ウィッペン６の下部にねじ孔６ｄが形成されるとともに、ウィッペン６の上部には、ねじ孔６ｄに連なるように、より大きな径のばね受け収容孔６ｅが形成されている。また、調整ねじ１０の先端には、円板状のばね受け３１が固定されている。調整ねじ１０はねじ孔６ｄに上方からねじ込まれており、それにより、調整ねじ１０の溝１０ａがねじ孔６ｄの開放された下面に臨むとともに、ばね受け３１がばね受け収容孔６ｅに収容されるようになっている。また、ジャックスプリング１１は、ばね受け３１に載った状態で、ばね受け３１とジャック７の基部７ａとの間に設けられている。
【００３７】
以上の構成によれば、調整ねじ１０をドライバーＤで回し、上下させることによって、ウィッペン６からのジャックスプリング１１の突出長さを無段階に調整でき、したがって、前述した第１実施形態による効果を同様に得ることができる。
【００３８】
図５は、実施形態に対する別の変形例を示している。この変形例は、実施形態では調整ねじ１０がウィッペン６に取り付けられているのに対し、調整ねじ１０をジャック７に取り付けたものである。具体的には、ジャック７の基部７ａに、上下方向に貫通するねじ孔７ｃが形成されており、このねじ孔７ｃに調整ねじ１０が上方からねじ込まれている。また、ジャックスプリング１１は、その上端部が調整ねじ１０の先端部（下端部）に嵌められ、接着されるとともに、下端部がウィッペン６の上面に当接している。
【００３９】
この構成によれば、調整ねじ１０をドライバーＤで上方から回すことによって、ジャック７の下面からのジャックスプリング１１の突出長さを無段階に調整でき、したがって、前述した第１実施形態による効果を同様に得ることができる。
【００４０】
なお、本発明は、説明した実施形態に限定されることなく、種々の態様で実施することができる。例えば、実施形態では、調整ねじ１０とジャックスプリング１１との連結を、調整ねじ１０への嵌め込みおよび接着や、ばね受け３１への載置によって行っているが、他の適当な連結手段を用いてもよいことはもちろんである。
【００４１】
また、実施形態では、ジャックスプリングとして、線形のばね特性を有するものを用いたが、非線形のばね特性を有するばね、例えば、不等ピッチコイルばねを採用してもよい。それにより、ジャックスプリングの突出長さと非線形特性との組合わせによって、そのばね力をよりきめ細かく設定することができる。その他、本発明の趣旨の範囲内で、細部の構成を適宜、変更することが可能である。
【図面の簡単な説明】
【００４２】
【図１】本発明の一実施形態によるアクションなどを離鍵状態において示す側面図である。
【図２】図１のアクションのジャックなどの部分を示す部分破断拡大側面図である。
【図３】図１のアクションにおける、ジャックスプリングの突出長さ、ジャックストロークおよびジャックスプリングのばね力の関係を示す図である。
【図４】実施形態の変形例によるアクションを示す、図２と同様の部分破断拡大側面図である。
【図５】実施形態の別の変形例によるアクションを示す、図２と同様の部分破断拡大側面図である。
【符号の説明】
【００４３】
１  アクション
３  ハンマー
４  鍵
６  ウィッペン
６ｃ  ねじ孔
６ｄ  ねじ孔
７  ジャック
７ｃ  ねじ孔
１０  調整ねじ
１１  ジャックスプリング
１７  レギュレティングボタン
【図１】
2008102209.tif 000003
【図２】
2008102209.tif 000004
【図３】
2008102209.tif 000005
【図４】
2008102209.tif 000006
【図５】
2008102209.tif 000007